(57)【特許請求の範囲】
【請求項１】
片面に活性接着剤(15)が塗布された材料ウエブ(14)、すなわち、リール(16)から送り去られる材料ウエブ(14)を、重ね継ぎステーション(17)において、交換用リール(18)から引き出される新たな材料ウエブの最初の部分(19)と接続する装置であって、下記の(a)〜(f)を特徴とする装置。
(a)送り去られるウエブ(14)は、回転する転向ローラー(21)に沿って走行し、接着剤(15)は、材料ウエブ(14)の前記転向ローラーと接触しない自由な外側に存在する
(b)接続対象である新たな材料ウエブの最初の部分(19)は、接着剤(15)を有する片面が移転ローラー(30)と向き合っており、前記移転ローラーは、小さな保持力を新たな材料ウエブの最初の部分(19)に移転するための起立部(34,35)を備えている
(c)新たな材料ウエブの最初の部分(19)のための移転ローラー(30)は、回動可能な移転レバー(31)の自由端部に配置されている
(d)移転レバー(31)は、付勢部材である電磁シリンダー(38)によって、初期位置から移転位置に移動されることができ、前記移転位置においては移転ローラー(30)が、転向ローラー(21)と隣接して配置される
(e)前記電磁シリンダー(38)は、光電セル(37)によって制御されることができ、前記光電セルは、送り去られる材料ウエブ(14)を走査する
(f)転向ローラー(21)の上流側には、送り去られる材料ウエブ(14)の案内部材として、細長い長方形状のシュー(23)が配置されており、前記シューは、材料ウエブ(14)のためのＣ字状の案内面(25)を備え、前記材料ウエブは、転向ローラー(21)に到達する直前までシュー(23)区域において弧状の断面形状を呈している
【発明の詳細な説明】
【０００１】
【発明の属する技術分野】
この発明は、片側面が接着剤で被覆された材料を処理する装置、特に、接着テープの一部を折り曲げたカードボードに付与する装置に関し、材料ウエブまたは接着テープは、第１のリールから引き出され、これが一度使用し終わると新たな材料ウエブ／新たな接着テープが、前記の走行し去る材料ウエブと接続される。
【０００２】
【従来の技術】
片側面が活性接着剤で被覆された材料ウエブまたは接着テープは、例えば、折り曲げられたカードボードのボックスを閉じるために使用される。いわゆるテープアセンブリーが、接着テープを例えば、折り曲げられたカードボックス面と接する閉鎖フラップの区域においてボックスの上側面と下側面に付与する。接着テープは、片側の面に付与された活性接着剤を有するプラスチックウエブからなる。
【０００３】
材料ウエブまたは接着テープは、（コイル状に巻かれた）リールとして利用に供される。それが使用され終わると、新たな材料ウエブまたは新たな接着テープが、できる限り残量が少なくなって前記の走行し去るテープに接続されなければならないが、前記接着テープの残量はできる限り少なくなければならない。
【０００４】
【発明が解決しようとする課題】
したがって、この発明の目的は、接着テープの簡単で信頼できる取扱い、特に、走行し去るテープに新たな接着テープを接続する新たな装置を提供することである。
【０００５】
【課題を解決するための手段】
新たなウエブの最初の部分は、１つの保持装置によって保持されて待機しており、前記保持装置は、新たなウエブの最初の部分が向き合って接すると機械的にまたは手動的に付勢される。保持装置の接触区域は、前記最初の部分を拘束する力が、前記の走行し去るウエブの接着面側と接触するに至るまで充分に大きく維持されるように形成される。走行し去るウエブの接着面側と接触することによって、前記の最初の部分が、接着によって前記の走行し去るウエブに固定される大きな保持力が発生するので、前記保持装置は、新たなウエブの最初の部分から外れる。
【０００６】
新たなウエブの最初の部分の保持装置は、可動な、特に、横断方向に移動することによって、前記最初の部分を転向区域、特に、転向ローラーの区域において前記の走行し去るウエブに向かって押圧する、特に回動できるアームである。
【０００７】
この発明の別の特徴は、材料ウエブが引き出される作動リールが、巻着されたウエブがすっかりなくなるまで回転されるという事実に存する。したがって、そのリールまたはリールの芯にはウエブの残量が全く存在しない。この発明においては、材料ウエブの終端部がリールまたはリールの芯から引き出された後でも、前記ウエブが皺が生じるなどの欠陥を伴うことなく移送され、新たな材料ウエブが接続されるように、材料ウエブに一定の張力が維持される特別な手段が設けられる。この発明によれば、この目的で、走行し去る材料ウエブの断面の変形が行われる。
【０００８】
重ね継ぎステーションの区域において、共通の回動することができる装着体の面に、特に装着ディスクの面に、接着テープの２つのリール、すなわち、供給リールと、新たなウエブが引き出される交換リールとが配置される。装着ディスクの回転によって、供給リールは予定された消尽位置に、交換リールが待機位置にそれぞれ移動される。新たなウエブの最初の部分は手動操作によって交換用リールから引き出され保持装置の面に接触させることが好ましい。
【０００９】
この発明の別の細部は、重ね継ぎステーションの設計と、接着テープを対象物に移送する部材に関する。
【００１０】
【発明の実施の形態】
以下に、この発明の模範具体例を、その装置の構造とプロセスの進行に関連させて、添付図面を援用しつつ詳細に説明する。
【００１１】
図１に示す装置は、接着テープ１０を折り曲げたカードボードのボックス１１に付与することに関連する。折り曲げたカードボードのボックス１１の上側面と下側面にそれぞれ付与されるのが、折り曲げタブを互いに接続するために、前記ボックスの長手方向に走行する接着テープ１０である。
【００１２】
接着テープ１０を付与するために、接着テープ１０を折り曲げられたカードボックス１１に自動的に付与する上部および下部のテープアセンブリー１２、１３がそれぞれ設けられる。接着テープ１０は、連続ストリップまたは連続材料ウエブ１４から分離される。連続ストリップまたは連続材料ウエブ１４は、好ましくはプラスチックからなり、その片側面が活性接着剤１５で被覆される。材料ウエブ１４は、リール１６から引き出され、テープアセンブリー１２、１３に導かれる。このリール１６は、交換リール１８と一緒に重ね継ぎステーション１７に配置される。現具体例では、装置が、各テープアセンブリー１２、１３に自動的に材料を供給するために、２つの同形の重ね継ぎステーション１７を備える。
【００１３】
作動リール１６が消尽すると、交換リール１８が重ね継ぎステーション１７の区域において、走行し去る材料ウエブ１４に大部分は自動的に接続される。しかしながら、現具体例ではリールの交換に一定の手動操作が介在することが有利である。
【００１４】
交換リール１８の交換は、材料ウエブ１４が、（作動）リール１６から引き出されつつある間に行われる。この目的で、最初の部分１９が（手動で）交換リール１８から引き出され、材料ウエブ１４と隣り合って保持され待機する（図２）。材料ウエブ１４がリール１６からから、その一部または全部が引き出されているとき、交換リール１８の最初の部分１９が、送り去られる材料ウエブ１４の末端部２０と向き合って押圧され（図４参照）、材料ウエブ１４が、こうして交換リール１８と接続される。
【００１５】
ウエブの交換を実行するために、重ね継ぎステーション１７は、自動的に作動する部材を備える。（連続）材料ウエブ１４は、重ね継ぎステーション１７の出口において、転向部材すなわち転向ローラー２１を巡回して導かれる（図４）。材料ウエブ１４は、材料ウエブの片側面に付与された接着テープ１５が、転向ローラー２１の区域において、外側に面するように、リール１６に巻着される。
【００１６】
転向ローラー２１は、（直立）装着壁２２の面においてリール１６から離隔した場所に装着される。リール１６から引き出された材料ウエブ１４は、転向ローラー２１の先導または案内部材、すなわちシュー２３を巡回して導かれる。このシュー２３は、（下部）回動軸受け２４を備える細長い片持ちレバーとして形成され、転向ローラー２１と隣り合ってその上位に位置する（図２、４）。
【００１７】
このシュー２３は、材料ウエブ１４の案内面２５を備える（図４）。シュー２３は断面で見ると、案内面２５の断面形状と一致する細長い中空体の形状をなす。図６から特によくわかるように、シュー２３は、断面がほぼＣ字状、すなわち、片側が開いた断面をなして形成される。案内面２５は、その両縁部が傾斜した両側部ストリップ２６、２７を形成する。これらの両側部ストリップは、これらの自由縁部で再び９０度だけオフセットして案内脚２８、２９へと推移する。
【００１８】
材料ウエブ１４は上に説明した形状の案内面２５を越えて定常的に走行するので、前記案内面の断面と一致した形状を付与される。材料ウエブは、この手段によって、その長手方向に変形したり、特に皺を生じたりすることが防がれる。さらには、案内面２５の設計のお陰で、シュー２３は、移送される材料ウエブ１４に維持力を与える。したがって、この装置があることで、該当するリール１６を、走行すなわちリール１６にとどまる材料ウエブ１４の残留部分から逸脱することなく、それが完全に空になるまで走行させることができる。シューのこの様相と設計はこの装置の独自の特徴である。
【００１９】
リールを交換するために、シュー２３は材料ウエブ１４の走行面から回動されることによって、図２の一点鎖線によって示す位置に移動される。シュー２３が、材料ウエブ１４が案内面２５と隣り合う位置に再び復帰される時、交換リール１８またはその最初の部分１９は、材料ウエブ１４といつでも接続されるように、転向ローラー２１の隣に保持される。最初の部分１９は、移転部材、すなわち移転ローラー３０と隣り合っており、この移転ローラーは、片持ち移転レバー３１の下方または自由端部に装着されている。前記の移転レバー３１は、交換リール１８の近くに配置された回動軸受け３２の区域において回動することができる（図２、４参照）。この回動軸受け３２もまた、共通の装着壁２２の面に装着される。この回動軸受け３２の相対位置は、矢印３３として示す回動とともに、移転ローラー３０が図２に示す初期位置から、図４に示す移転位置に回動するように選択される。図４においては、移転ローラー３０は、転向ローラー２１の外周と、最初の部分１９の自由端部が、転向ローラー２１の区域において、材料ウエブ１４と向き合って押圧されるように直接隣り合って配置される。
【００２０】
交換リール１８は、接着剤１５を備える最初の部分１９が、移転ローラー３０または移転レバー３１に面するように配置される。したがって、最初の部分１９は、その接着剤を備える側の面が移転ローラー３０と、この具体例では移転レバー３１とに接する。
【００２１】
移転ローラー３０および／または移転レバー３１は、一方においては材料ウエブの接着剤を有する側の面をしっかりと支持するが、他方においては、接着剤１５を有する側の面が押された時は、前記材料ウエブ１４が、この最初の部分１９を掴んで移転ローラー３０または移転レバー３１から引き出すように設計される。この目的で、移転ローラー３０は、その外周に沿って突起または起立部を備える。今の場合、これらはピラミッド型の起立部３５によって形成される尖端３４である。起立部３５したがってその尖端３４は、ここでは、移転ローラー３０の外周に沿って、長手方向および横断方向に列をなして配列され均等に分散される。
【００２２】
材料ウエブ１４または最初の部分１９の保持部材３６は、移転ローラー３０に隣接して移転レバー３１の区域に形成される。最初の部分１９は、前記保持部材に同様に隣接する。保持部材３６は、移転ローラー３０と同様な態様で起立部３５と尖端３４とを備える。
【００２３】
走行し去る材料ウエブ１４に新たな材料ウエブまたは最初の部分１９が移転されるときは、最初の部分１９の端部区域が、その接着剤が付与されいない側の面で材料ウエブ１４の接着剤を有する側に押圧されるので、充分に耐久性を備える接続がなされる。材料ウエブ１４は、その後、作動リール１６の機能を担う交換リール１８から引き出される。
【００２４】
新たな材料ウエブ１９の最初の部分を送り去られる材料ウエブ１４に接続することは、自動的に行われる。送り去られるリール１６は、その巻き量が完全になくなるまで回転する。材料ウエブ１４の端部が走査される。この具体例においては、１つの光電セルが３７が設けられており、これが送り去られる材料ウエブ１４を監視する（図２）。これに代えて、環状の無接触キャリパー(circulating,contactless calliper)、例えばイニシエーターがリール１６の回動軸受けの区域に形成されてもよい。材料ウエブ１４が送り去られた後、このキャリパーが、材料ウエブ１４が完全に送り去られたことを意味する信号として、リール巻着部の欠落または回転速度の低下を探知する。
【００２５】
材料ウエブ１４の完全な送り出しが完了すると、直ちに移転のプロセスが開始される。この目的で、移転レバー３１が、転向ローラー２１の外周と接するまで上に説明した態様で回動する。移転ローラー３１の回動運動は、光電セル３７によって付勢される制御ユニット、すなわち、（電磁）シリンダー３８によって作動される。シリンダー３８のピストンロッド３９は、移転レバー３１の横断方向配向アーム４０に接続される（図４）。
【００２６】
現具体例においては、交換リール１８が接続用に手動操作で準備される。最初の部分１９が手で交換リール１８から引き出され、移転ローラー３０と移転レバー３１と接する上記の位置に持ってこられる。固定刀４１が、移転ローラー３０の下側に配置される。最初の部分１９の端部はこの固定刀によって、最初の部分が常に正確な相対位置において移転ローラーと接するように、切断される。さらには、この固定刀４１によって正確な縁部が作り出される。この固定刀４１も装着壁２２に取り付けられる。
【００２７】
装置または重ね継ぎステーション１７は、重要な区域に、材料すなわち材料ウエブ１４が存在することを監視する監視部材を備える。具体化された思想は、一方においては転向ローラー２１の回転運動が材料ウエブ１４の存在を前提とし、他方においては、しかしながら、接着テープ１０の規則的な引き出し、すなわちその長さに関して監視されるという事実に存する。この目的で、転向ローラー２１の回転運動が非接触のキャリパーすなわち、いわゆるイニシエーター６４によって、監視される（図４）。現具体例においては、制御ディスク６５が、互いに等間隔の周方向距離に配置された（３つの）径方向の突起を備え、転向ローラー２１の軸にこれと一緒に回転するように設けられる。イニシエーター６４は、回転する制御ディスク６５の突起６６によって作動される。この手段によって、一方において、転向ローラーの回転運動が感知されるが、他方においては、材料ウエブ１４の引き出し部の長さが感知される。
【００２８】
作動リール１６と交換リール１８は、重ね継ぎステーションー１７の作動態様の結果としての予定された相対位置を有する。この目的で、リール１６、１８は調節可能なように、すなわち、回動または回転が可能な部材に装着される。現具体例の場合は、これは１つの（直立した）装着ディスク４２である（図２）。この装着ディスク４２は、装着壁２２の面に中心軸受け４３に回転可能に装着される。装着ディスク４２は、各リールの交換後に、交換リール１８が作動リール１６の位置に移動するように回転される。装着ディスク４２は、ここでは矢印４４にしたがって時計方向に回転される。この場合材料ウエブ１４は、それがシュー２３と接するまで交換リール１８の区域から移動し、材料ウエブ１４の断面は、それがシュー２３の凹部に進入するにしたがって変形される。現具体例では、シュー２３が（下部）軸受け２４を中心に図２の一点鎖線で示す位置に回動する。装着ディスク４２の回転がこの位置において行われる。シュー２３は次にその作動位置に回動復帰し材料ウエブ１４を取り上げる。
【００２９】
図３を参照すれば、この具体例においては、装着ディスク４２が手動で回転されることができる。この目的でハンドルが設けられ、各リールの軸受け４７、４８の区域にハンドル４５、４６が設けられる。横断方向に突出するハンドル４５、４６は、手で掴むことができるので、装着ディスク４２を回転することができる。
【００３０】
図５によれば、装着ディスク４２の作動位置は、グリップ４９によって同様に作動される鍵状ピンによって決まっており、この鍵状ピン(shap-in pin) は、装着ディスク４２を保持装置すなわち装着壁２２に固定するために、装着ディスク４２の鍵穴(shap in bore)５０に進入することができる。
【００３１】
リールの軸受け４７、４８の区域におけるンハンドル４５、４６は、二重の機能を備える。これらのハンドルは、バネ５１によって、リール１６、１８またはそれらの芯５２に軸方向の圧力を及ぼす。この手段によって、リール１６、１８の区域における摩擦の結果として制動効果が発生する。この制動効果は、バネ５１の張力を変更するために調節することができるギザ付きホイール５３の援用によって設定される。
【００３２】
別の独自の特徴は、テープアセンブリー１２、１３の構造に関する（図１参照）。この装置は、その全体が門状の装着フレーム５４に取り付けられる。上下に配置された２つの重ね継ぎステーション１７、または、その装着壁２２は、装着フレーム５４の直立支持体５５に取り付けられる。２つのテープアセンブリー１２、１３は、保持装置５７の反対側の直立支持体５６に装着される。この保持装置は、横断方向に突出する上下の装着アーム５８、５９を有する。テープアセンブリー１２、１３の１つは、各装着アームの端部に装着される。それぞれのテープアセンブリー１２、１３は、それぞれが水平方向に正確に配置されるように、装着アーム５８、５９上において案内部材６０、６１と一緒に移動される。
【００３３】
これに加えて、テープアセンブリー１２、１３のうちの１つ、この具体例においては、上部のテープアセンブリー１２は、折り曲げられるカードボードボックス１１の異種のフォーマットに適応するために垂直方向に位置を調節することができる。装着アーム５８は垂直案内部材６２に接続される。この垂直案内部材６２は、垂直装着ロッド６３に沿って垂直方向に移動することが可能である。前記ロッドは保持装置５７の一部である。
【図面の簡単な説明】
【図１】接着テープを折り曲げたカードボードに付与する装置の単純化した側面図。
【図２】図１の装置の重ね継ぎステーションの拡大図。
【図３】図２の重ね継ぎステーションの横断方向図。
【図４】重ね継ぎステーションの細部の拡大図。
【図５】図３とはオフセットした面における横断方向図。
【図６】図５のVI-VI 切断面に沿う保持シューの拡大断面図。
【符号の説明】
１０…テープ，１１…カードボードボックス，１４…材料ウエブ，１５…接着剤，１６…作動リール，１７…重ね継ぎステーション，１８…交換リール，１９…最初の部分，２１…転向ローラー，２３…シュー，２５…案内面，３０…移転ローラー，３１…移転レバー，３４，３５…起立部，３８…シリンダー。
【図１】
0004037531.tif 000002
【図２】
0004037531.tif 000003
【図３】
0004037531.tif 000004
【図４】
0004037531.tif 000005
【図５】
0004037531.tif 000006
【図６】
0004037531.tif 000007